(57)【要約】      （修正有）【課題】音の均衡がとれ、のびやかで濁りのない透明な低音が得られるエンクロージャーを提供する。【解決手段】第一空気室２と、第一空気室を挟むようＹ軸方向に設けられた２つの第二空気室４と、第一空気室と各第二空気室との間をそれぞれ連通する２つの扁平ダクト３と、を備える。第一空気室は、中心部分に、スピーカーユニットＡを嵌設するための第一開口部２１を有し、その内部空間を略二分する隔壁２２を有する。扁平ダクトは、Ｘ軸及びＹ軸と直交するＺ軸方向に扁平かつＹ軸方向に延びるよう形成され、第一空気室の内部空間に突出しないよう形成される。扁平ダクトの通孔３１のＺ軸方向の幅は、第一空気室のＺ軸方向の幅と略同一である。第二空気室は、音を排出するためのポート４１を第一開口部と同方向に有し、内部には、扁平ダクトからＹ軸方向に射出された音をポート側へ反射する反射部材４２が、扁平ダクトのＹ軸方向延長線上に設けられている。【選択図】図２
2019097070.tif 000002
【特許請求の範囲】
【請求項１】
第一空気室と、
該第一空気室を挟むようＹ軸方向に設けられた２つの第二空気室と、
前記第一空気室と各前記第二空気室との間をそれぞれ連通する２つの扁平ダクトと、
を備え、
前記第一空気室は、そのＹ軸方向略中心部分に、Ｘ軸正面方向に開口した、スピーカーユニットを嵌設するための第一開口部を有し、
前記第一空気室は、内部にその内部空間をＹ軸方向に略二分する隔壁を有し、
前記扁平ダクトは、Ｚ軸方向に扁平かつＹ軸方向に延びるよう形成されており、
前記扁平ダクトは、前記第一空気室の内部空間に突出しないよう形成されており、
前記扁平ダクトの通孔のＺ軸方向の幅は、前記第一空気室のＺ軸方向の幅と略同一であり、
前記第二空気室は、音を排出するためのポートを前記第一開口部と同方向に有し、
前記第二空気室の内部には、前記扁平ダクトからＹ軸方向に射出された音を前記ポート側へ反射する反射面が設けられた反射部材が、前記扁平ダクトのＹ軸方向延長線上に設けられており、
前記反射部材は、前記扁平ダクトの前記第一空気室側のダクト口から前記第二空気室側を平面視したとき、前記扁平ダクトの断面が前記反射面に包含されるよう設けられていることを特徴とする、エンクロージャー。
【請求項２】
前記第一空気室が、その内部空間を画成する内壁面として、ＸＺ面に広がる内壁面２つと、ＸＹ面に広がる内壁面２つと、を備え、
これら４つの内壁面が、内部空間が角筒構造を構成することを特徴とする、請求項１に記載のエンクロージャー。
【請求項３】
前記第一空気室が、その内部空間を画成する内壁面として、さらに、前記第一開口部と対向する側にあるＹＺ面に広がる壁面を備え、
前記扁平ダクトの孔内壁面のうち、前記第一開口部と対向する側にあるＹＺ面に広がる孔内壁面と、
前記第一空気室の内部空間を画成する内壁面のうち、前記第一開口部と対向する側にあるＹＺ面に広がる内壁面と、
が略面一であることを特徴とする、請求項２に記載のエンクロージャー。
【請求項４】
前記扁平ダクトの第一空気室側のダクト口から第二空気室側を平面視したときの前記反射面のＸ軸ポート方向への傾斜が、４０度〜５５度であることを特徴とする請求項１〜３の何れか１項に記載のエンクロージャー。
【請求項５】
さらに、前記第二空気室が、第二空気室内部に前記ポートに近づくにつれて漸次拡幅したバックロードホーン部を有することを特徴とする、請求項１〜４の何れか１項に記載のエンクロージャー。
【請求項６】
前記隔壁が吸音性を有することを特徴とする、請求項１〜５の何れか１項に記載のエンクロージャー。
【請求項７】
請求項１〜６の何れか１項に記載のエンクロージャーと低音スピーカーユニットとを備える、スピーカーシステム。
【発明の詳細な説明】
【技術分野】
【０００１】
本発明はエンクロージャーに関する。
【０００２】
スピーカーユニットは、スピーカーユニットの前面から出ている音と、スピーカーユニットの背面から出ている音の位相が１８０度ずれていることが知られている（特許文献１）。そのため、音質の改善を図るためには、スピーカーユニットの背面から出ている音を位相反転させ、スピーカーユニットの前面から出ている音と同位相とさせる工夫がなされてきた。
【０００３】
音を位相反転させることのできるエンクロージャーとして、バスレフ方式のエンクロージャーが知られている。ここで、バスレフ方式のエンクロージャーの位相反転は、背面から出た音を、空気室の内部空間に突出した細い円筒管（共鳴管、バスレフダクト）に収束させ共振させることによってなされる（特許文献１  図７  参照）。
【０００４】
そして、エンクロージャーに関する従来技術として、特許文献２には、スピーカーユニットの上下に第一開口部を二つ有する筐体（キャビネット）が記載されている。そして、特許文献２に記載の筐体（キャビネット）の第一開口部はスピーカーユニットの位置を中心に対象となる位置に設けられていることが開示されている。スピーカーユニットの位置を中心に対象となる位置に設けられている形態である特許文献２に記載の筐体（キャビネット）によれば、筐体（キャビネット）内の冷却を効果的に行えるようにするとともに、低音域も良好に再生可能となることが記載されている。
【０００５】
また特許文献３には、単一のスピーカーユニットを上下、左右等に、少なくとも２領域の空間領域に分割した放音装置が記載されている。ここで、特許文献３には、放音装置を仕切りによって２領域の空間領域に分割することで、生楽器に近い音響再生が可能な放音装置を提供することができることが開示されている。なお、特許文献３に記載の放音装置は、２領域の空間領域に分割した際の、一方の空間領域（キャビネット領域）には底面側に第１の第一開口部を設け、他方の空間領域（キャビネット領域）には背面板に第２の第一開口部を設ける形態が好ましい形態として開示されている（請求項３  図２、図３  参照）。
【０００６】
また、特許文献４には、仕切りによって分割されるスピーカーユニットエンクロージャーが開示されている。そして、特許文献４には、第１の容量と第２の容量とを仕切りを中心に対称にする形態が開示されている。
【０００７】
また特許文献５には、反射板を備えるスピーカーユニット装置が記載されている。そして、特許文献５には、反射板がほぼ４５度に取り付けられている形態が開示されている。ここで、特許文献５には、スピーカーユニットボックスの背面波の伝播する部分の容積と、筒内部の空気の質量の関係はいわゆるヘルムホルツの共鳴器と同じ原理であることが記載されている（特許文献５  ［００２５］  参照）。また、特許文献５には、筒内部を音が通ることにより、音が共振し、スピーカーユニット本体の背面波とは逆位相となることが開示されている（特許文献５  ［００２５］  参照）。
【先行技術文献】
【特許文献】
【０００８】
【特許文献１】実用新案登録第３１９２１０３号
【特許文献２】特開２００５−２７７５０２号公報
【特許文献３】特開２００３−２９５８６２号公報
【特許文献４】特表２０１０−５３４９６５号公報
【特許文献５】特開２００４−３２０４０号公報
【発明の概要】
【発明が解決しようとする課題】
【０００９】
前述の通り、バスレフ方式のエンクロージャーは、スピーカーユニットの背面から出た音を位相反転させるために、空気室の内部空間に突出した細い円筒管（共鳴管、バスレフダクト）に収束・共振させる必要がある。そして、従来のバスレフ方式のエンクロージャーは音を空気室の内部空間に突出した細い円筒管（共鳴管、バスレフダクト）に収束・共振させるため、音が分散し、のびやかで濁りのない透明な低音が得られないことが課題としてあった。
【００１０】
上記事情に鑑みなされた本発明は、音の均衡がとれ、かつのびやかで濁りのない透明な低音を得ることができるエンクロージャーを提供することを課題とする。
【課題を解決するための手段】
【００１１】
本発明者が鋭意研究を重ねた結果、ダクトの形状・位置・大きさ、及びダクトと反射部材の大きさの関係を調整することにより、スピーカーユニットの背面から出た逆位相の音がスピーカーユニット正面から出る音と同位相となり、音質が向上することを見出した。
また、本発明者が鋭意研究を重ねた結果、スピーカーユニット背面から出る音を分割・制御することにより、音の均衡がとれ、のびやかで濁りのない透明な低音を得ることができることを見出した。
【００１２】
すなわち、上記課題を解決する本発明のエンクロージャーは、
第一空気室と、
該第一空気室を挟むようＹ軸方向に設けられた２つの第二空気室と、
前記第一空気室と各前記第二空気室との間をそれぞれ連通する２つの扁平ダクトと、
を備え、
前記第一空気室は、そのＹ軸方向略中心部分に、Ｘ軸正面方向に開口した、スピーカーユニットを嵌設するための第一開口部を有し、
前記第一空気室は、内部にその内部空間をＹ軸方向に略二分する隔壁を有し、
前記扁平ダクトは、Ｚ軸方向に扁平かつＹ軸方向に延びるよう形成されており、
前記扁平ダクトは、前記第一空気室の内部空間に突出しないよう形成されており、
前記扁平ダクトの通孔のＺ軸方向の幅は、前記第一空気室のＺ軸方向の幅と略同一であり、
前記第二空気室は、音を排出するためのポートを前記第一開口部と同方向に有し、
前記第二空気室の内部には、前記扁平ダクトからＹ軸方向に射出された音を前記ポート側へ反射する反射面が設けられた反射部材が、前記扁平ダクトのＹ軸方向延長線上に設けられており、
前記反射部材は、前記扁平ダクトの前記第一空気室側のダクト口から前記第二空気室側を平面視したとき、前記扁平ダクトの断面が前記反射面に包含されるよう設けられていることを特徴とする。
【００１３】
本発明のエンクロージャーによれば、音の均衡がとれ、かつのびやかで濁りのない透明な低音を得ることができる。
【００１４】
また、本発明の好ましい形態では、
前記第一空気室が、その内部空間を画成する内壁面として、ＸＺ面に広がる内壁面２つと、ＸＹ面に広がる内壁面２つと、を備え、
これら４つの内壁面が、角筒構造を構成することが好ましい。
前記第一空気室をこのように構成することにより、音の均衡により優れ、かつよりのびやかで濁りのない透明な低音を得ることができる。
【００１５】
また、本発明の好ましい形態では、
前記第一空気室が、その内部空間を画成する内壁面として、さらに、前記第一開口部と対向する側にあるＹＺ面に広がる壁面を備え、
前記扁平ダクトの孔内壁面のうち、前記第一開口部と対向する側にあるＹＺ面に広がる孔内壁面と、
前記第一空気室の内部空間を画成する内壁面のうち、前記第一開口部と対向する側にあるＹＺ面に広がる内壁面と、
が略面一であることが好ましい。
このように扁平ダクトと第一空気室を面一にすることで、音の均衡により優れ、かつよりのびやかで濁りのない透明な低音を得ることができる。
【００１６】
また、本発明の好ましい形態では、
前記扁平ダクトの第一空気室側のダクト口から第二空気室側を平面視したときの前記反射面のＸ軸ポート方向への傾斜が、４０度〜５５度であることが好ましい。
反射部材の反射面の傾斜を上記範囲とすることによって、スピーカーユニット背面から出た音をより的確にポート方向へ導くことができるため、音の均衡により優れ、かつよりのびやかで濁りのない透明な低音を得ることができる。
【００１７】
さらに、本発明の好ましい形態では、前記第二空気室が、第二空気室内部に前記ポートに近づくにつれて漸次拡幅したバックロードホーン部を有することが好ましい。
前記第二空気室がバックロードホーン部を有することで、よりのびやかで濁りのない透明な低音を得ることができる。
【００１８】
また、本発明のエンクロージャーにおいては、前記隔壁が吸音性を有することが好ましい。
前記隔壁が吸音性を有することで、よりのびやかで濁りのない透明な低音を得ることができる。
【００１９】
また、本発明は、前述のエンクロージャーと第一開口部にスピーカーユニットとを備える、スピーカーシステムにもある。本発明のスピーカーシステムは、音の均衡により優れ、かつよりのびやかで濁りのない透明な低音を奏する。
【発明の効果】
【００２０】
本発明のエンクロージャーによれば、音の均衡がとれ、かつのびやかで濁りのない透明な低音を得ることができる。
【図面の簡単な説明】
【００２１】
【図１】実施例のエンクロージャーの外形を示す図である。
【図２】実施例のエンクロージャーの内部構造を示す断面図である。
【図３】実施例のエンクロージャーが備える隔壁の詳細な構造を示す図である。
【図４】実施例のエンクロージャーが備える隔壁の他の形態を示す参考模式図である。
【図５】実施例のエンクロージャーが備える扁平ダクトを示す参考背面透視図である。
【図６】（ａ）実施例のエンクロージャーが備える扁平ダクトと第二空気室の構造を示す拡大模式図である。（ｂ）扁平ダクトの第一空気室側のダクト口から第二空気室側を平面視したときの、実施例のエンクロージャーが備える扁平ダクトと反射部材の大きさの関係を示す模式図である。
【図７】（ａ）実施例のエンクロージャー内部を通る音の流れを示す参考模式図である。（ｂ）ダクトを円筒管（共鳴管、バスレフダクト）に置き換えた本実施例のエンクロージャー内部を通る音の流れを示す参考図である。
【図８】実施例のエンクロージャーが備える第二空気室を示す模式図である。
【発明を実施するための形態】
【００２２】
＜実施例＞
以下、図１〜図８を用いて、本発明のエンクロージャー１の実施例について説明するが、本発明の技術的範囲は実施例に限定されないことは言うまでもない。
【００２３】
本実施例のエンクロージャー１は、第一空気室２と２つの第二空気室４を備える（図１〜図３  参照）。第二空気室４は、第一空気室２を挟むように設けられている。つまり、第一空気室２と２つの第二空気室４は同軸上に並設されていることになる。本明細書においては、この３つの空気室が並ぶ軸の方向のことをＹ軸方向という。
【００２４】
以下、第一空気室２について図２、図３を用いて説明する。
【００２５】
第一空気室２は、Ｙ軸方向について略中心部分に、開口した第一開口部２１を有する。第一開口部２１が開口する方向は、Ｙ軸方向とは直交する方向である。
以下、Ｙ軸方向と直交する方向であり、第一開口部２１が開口している方向のことをＸ軸方向という。特に第一空気室２の内部から、第一開口部２１から外部に向かう方向をＸ軸正方向ともいう。
また、Ｙ軸とＸ軸に直行する方向のことをＺ軸方向という。
【００２６】
第一開口部２１は、スピーカーユニットＡを嵌設することができればその形態は特に限定されない。
【００２７】
本実施例において第一空気室２は、第一空気室２の内部にその内部空間をＹ軸方向に略二分するようＸＺ面に広がる隔壁２２を有する。
【００２８】
隔壁２２は、ＹＺ面のうち第一開口部２１側にスピーカーユニットＡの背面輪郭に略一致する凹部２２１が形成されている（図３）。言い換えれば、隔壁２２は、Ｙ軸方向から見たときに、Ｘ軸方向に深さ方向を有する凹部２２１を有する。
【００２９】
そして、凹部２２１は、スピーカーユニットＡを第一開口部２１に嵌設したとき、スピーカーユニットＡの背面が略密着するように構成されている（図３  参照）。
つまり、スピーカーユニットＡを第一開口部２１に嵌設すると、隔壁２２によって二分された第一空気室２の内部は、隔壁２２とスピーカーユニットＡの背面によって、空間的に断絶されることになる。
【００３０】
このような構成をとることで、スピーカーユニットＡの背面から出て、隔壁２２によって二手に分かれた音が、その後、第一空気室２の内部空間において、障害なく再び交じり合うことはなくなる。
【００３１】
以下、図４を参照し、エンクロージャー１が備える隔壁２２の他の実施形態について説明する。
【００３２】
図４（ａ）に示すように、エンクロージャー１が備える隔壁２２は、第一開口部２１から対向する面に向かうにつれＹ軸方向に拡幅する誘導部２２３が設けられている形態とすることができる。
このような形態とすることで、スピーカーユニットＡ背面から出る小さな音を後述する扁平ダクト３へ効率よく誘導することができるため、よりのびやかで濁りのない透明な音を得ることができる。
【００３３】
また、図４（ｂ）に示すように、隔壁２２は必ずしも、スピーカーユニットＡを第一開口部２１に嵌設したとき、スピーカーユニットＡの背面が略密着するように構成されている凹部２２１を有している必要はない。凹部２２１を備えていない形態であっても、実質的にスピーカーユニットＡ背面から出た音を二分することができれば、のびやかで濁りのない透明な低音を得ることができる。
なお、凹部２２１を有さない隔壁２２を備えるエンクロージャー１（図４（ｂ））に比して、凹部２２１を有する隔壁２２を備えるエンクロージャー１（図４（ａ））の方がよりのびやかで濁りのない透明な低音を得ることができる。
【００３４】
第一空気室２の内部空間の形態は特に限定されないが、本実施例のように、第一開口部２１が設けられている面とその面に対向する面を除いてみたとき、残りの４つの内壁面（ＸＺ面に広がる内壁面２つと、ＸＹ面に広がる内壁面２つ）が、内部空間が角筒構造を構成するような形態とすることが好ましい（図２、図３  参照）。
【００３５】
第一空気室２の内壁は、よりのびやかで濁りのない透明な低音を得る観点から、吸音性を有することが好ましい。内壁に吸音性を付与する手段は限定されないが、本実施例のように、第一空気室２の内壁面、特に、第一開口部が設けられている面とは反対側のＹＺ面を吸音材で覆う形態が好ましく挙げられる。
【００３６】
隔壁２２は吸音性を有することが好ましい。隔壁２２が吸音性を有することで、より優れた低音を得ることができる。特に、よりのびやかで濁りのない透明な低音を得ることができる。
本実施例において隔壁２２は、板材と、板材を覆う吸音材２２２からなるため、吸音性を有する。なお、隔壁２２に吸音性を付与する構成はこれに限られない。
【００３７】
以下、扁平ダクト３について図２〜図７を用いて説明する。
【００３８】
本発明において、「扁平ダクト」とは、通孔が扁平形状であるダクトを指す（図５  参照）。そのため、扁平ダクト３は、必ずしもその外形が扁平形状であることを要さない。
【００３９】
扁平ダクト３は、Ｚ軸方向に扁平である（図５  参照）。そして、図２、図５に示すように、Ｙ軸方向に延びる構成を有しており、第一空気室２と各第二空気室４との間をそれぞれ連通するように設けられている。そのため、スピーカーユニットＡの背面から第一空気室２の内部に放出された音が、扁平ダクト３を通じて、第二空気室４の内部に伝わるような構成となっている。
【００４０】
図６  （ｂ）に示すように、扁平ダクト３の通孔３１のＺ軸方向の幅は、第一空気室２のＺ軸方向の幅と略同一である。
また、図５、図７に示すように、本実施例において扁平ダクト３は、第一空気室２の内部空間に突出しないよう形成されている。
扁平ダクト３が以上の特徴を有することで、音を平面的に収束させることができるため、よりのびやかで濁りのない透明な低音を得ることができる（図７（ａ）参照）。
【００４１】
扁平ダクト３の通孔３１のＸ軸方向の長さは、扁平ダクト３が有する通孔３１がＺ軸方向に扁平となる長さであれば特に制限はなく、好ましくはＺ軸方向の幅の５割以下、より好ましくは３割以下、より好ましくは１割以下、さらに好ましくは０．５割以下、特に好ましくは０．３割以下の長さであることが好ましい。
【００４２】
また、扁平ダクト３の通孔３１のＹ軸方向の長さにも特に制限はなく、好ましくは扁平ダクト３が有する通孔３１のＺ軸方向の幅の０．５倍以上、より好ましくは１倍以上、さらに好ましくは１．５倍以上、特に好ましくは１．８倍以上の長さであることが好ましい。
【００４３】
通孔３１のＺ軸方向の長さに対するＹ軸方向の長さが下限以上であることで、より確実に音を収束することができるため、濁りのない透明な低音を得ることができる。
【００４４】
また、扁平ダクト３の通孔３１のＹ軸方向の長さは、好ましくは扁平ダクト３が有する通孔３１のＸ軸方向の長さの２倍以上、より好ましくは５倍以上、さらに好ましくは１０倍以上、さらに好ましくは１５倍以上、特に好ましくは２０倍以上の長さであることが好ましい。
【００４５】
通孔３１のＸ軸方向の長さに対するＹ軸方向の長さが下限以上であることで、より確実に音を収束することができるため、濁りのない透明な低音を得ることができる（図７（ａ）参照）。
【００４６】
また、本実施例において、エンクロージャーが備える扁平ダクト３は、第二空気室４の内部空間に突出するよう形成されている（図５）。
【００４７】
扁平ダクト３の通孔３１のＹ軸方向の長さのうち、第二空気室４の内部空間に突出している部分の長さと、第二空気室４の内部空間のＹ軸方向の長さの比は特に限定はされないが、好ましくは０．１：１〜０．９９：１、より好ましくは０．５：１〜０．９９：１、さらに好ましくは０．７：１〜０．９９：１、さらに好ましくは０．８：１〜０．９９：１の範囲内であることが好ましい。
【００４８】
第二空気室４の内部に突出している部分の扁平ダクト３の通孔３１のＹ軸方向の長さと、第二空気室４の内部空間のＹ軸方向の長さの比が上記範囲内にあることで、より濁りのない透明な低音を得ることができる。
【００４９】
図２〜図５に示すように、扁平ダクト３の孔内壁面と第一空気室２の内部は面一であることが好ましい。具体的には、第一開口部２１と対向する側にあるＹＺ面に広がる孔内壁面４６と、第一空気室２の内部空間を画成する内壁面のうち、第一開口部２１と対向する側にあるＹＺ面に広がる内壁面と、が略面一であることが好ましい。
このような形態とすることで、より効率よく音を収束させることができるため、より音の均衡がとれ、かつよりのびやかで濁りのない透明な低音を得ることができる。
【００５０】
以下、第二空気室４について図２、図５、図６〜図８を用いて説明する。
【００５１】
第二空気室４は、音を排出するためのポート４１を第一開口部２１と同方向に有する（図２  参照）。つまり、ポート４１もＸ軸方向に向けて開口している。後述するように、スピーカーユニットＡ前面より出る音と、ポート４１から出る音は同位相である。そのため、ポート４１と第一開口部２１とが同方向に開口していても、それぞれから出る音が互いに打ち消し合うことがない。
【００５２】
第二空気室４の内部には、反射面４２１を有する反射部材４２が設けられている。反射部材４２は、扁平ダクト３のＹ軸方向延長線上に位置しており、扁平ダクト３からＹ軸方向に射出された音をポート４１側へ反射する機能を有する。
【００５３】
本実施例においては、第二空気室４の壁面が、扁平ダクト３の孔内壁面のうち、第一開口部２１と対向する側にあるＹＺ面に広がる孔内壁面４６を兼ねている（図３  参照）。ただし、エンクロージャー１が備える各構成は、一体成型されていても、異なる部品を組み合わせることにより形成されていてもよい。
【００５４】
また、図６（ｂ）に示すように、反射部材４２は、扁平ダクト３の第一空気室２側のダクト口３１１から第二空気室４側を平面視したとき、扁平ダクト３の断面が反射面４２１に包含されるよう設けられている。つまり、扁平ダクト３を通ってＹ軸方向に放出された音は、直進する限りは全て反射面４２１に衝突し、ポート４１側へ反射するような構成となっている。
【００５５】
このような構成とすることで、スピーカーユニットＡ背面から出た音の均衡を保ちつつ音を逆位相に反転させることができるため、音の均衡のとれたのびやかで濁りのない透明な低音を得ることができる。
【００５６】
ここで、第二空気室４に設けられた反射部材４２は、扁平ダクト３の第一空気室２側のダクト口３１１から第二空気室４側を平面視したときのＸ軸ポート４１方向への傾斜が、４０度〜５５度であることが好ましい。
言い換えれば、反射面４２１は、Ｘ軸正方向に向かって開くように、ＹＺ平面に対して４０度〜５５度の傾斜を有することが好ましい。
このような範囲で反射面４２１に傾斜をもたせることで、扁平ダクト３を通って第二空気室４の内部へ放出された音を、より的確にポート４１方向へ導くことができるため、より音の均衡がとれ、かつのびやかで濁りのない透明な低音を得ることができる。
【００５７】
第二空気室４は、その内部空間の形状及び大きさに特に制限はないが、第二空気室４内部にポート４１に近づくにつれて漸次拡幅したバックロードホーン部４３を有する形態であることが好ましい（図８  参照）。第二空気室４がバックロードホーン部４３を有することで、よりのびやかな低音を得ることができる。
【００５８】
ここで、バックロードホーン部４３の構成は特に限定されず、公知の何れの構成を採用してもよいが、図８に示すような導音路を形成することが好ましい。
【００５９】
導音路のＺ軸方向の幅は、一定又は漸次拡幅となっていることが好ましく、実施例のエンクロージャー１のように、第二空気室４のＺ軸方向の幅と略同一であることがより好ましい（図８  参照）。
【００６０】
第二空気室４の反射部材４２が設けられている側のＸＺ平面上には第一整流部４４が設けられている。第一整流部４４は反射部材４２よりもＸ軸正方向に位置している。第一整流部４４は仕切り板４４３を備えており、仕切り板４４３は反射部材４２が反射した音を、第二空気室４内部を第一空気室２側に向かって導く導音路を形成する。
【００６１】
反射部材４２に反射してポート４１側に向かった音を第一空気室２側に向かって滑らかに方向転換するため、第一整流部４４の根元、かつ、反射部材４２のＸ軸正方向にあたる部分には、母線をＺ軸方向に有する第一柱面４４１が設けられている。
【００６２】
第一柱面４４１は、Ｙ軸第二空気室内部中心方向かつＸ軸反射部材４２方向に中心点を有する柱面であって一定の曲率半径を有する柱面であることが好ましい（図８  参照）。
【００６３】
第一柱面４４１により方向転換し、仕切り板４４３に沿って、第一空気室２側に導かれた音は、第一空気室２側に設けられた第二整流部４５に当たり、第一空気室２側とは反対方向に転換させられる。
【００６４】
第二整流部４５には、母線をＺ軸方向に有する第二柱面４５１が設けられている。第二柱面４５１の円弧の内部に仕切り板４４３が位置する（図８）。
第二柱面４５１は、Ｙ軸第二空気室内部中心方向に中心点を有する柱面であって一定の曲率半径を有する柱面であることが好ましい（図８  参照）。
【００６５】
第二整流部４５により方向転換させられた音は、仕切り板４４３ないし第二空気室４のポート４１が設けられた側の壁面によって形成された導音路に沿って、第一空気室２とは反対側に向かって導かれる。
【００６６】
このように導かれた音は、第一整流部４４の根元かつ、ポート４１側に設けられた第三柱面４４２にあたる。第三柱面４４２は、上述のようにして導かれた音をポート４１へ向かって方向転換させることが可能なように、その曲率が設定されている。
【００６７】
第三柱面４４２はＹ軸第二空気室内部中心方向かつＸ軸ポート４１方向に中心点を有する柱面であって一定の曲率半径を有する柱面であることが好ましい（図８  参照）。
【００６８】
第三柱面４４２にあたった音は、ポート４１へ向かって方向転換させられ、そのままポート４１から外部に放出される。ポート４１から外部に放出される音は、スピーカーユニットＡの全面より出る音と同位相である。
【００６９】
ここで、第一柱面４４１の曲率半径と、第二柱面４５１の曲率半径は、その比率が、２：２．２〜２：５、より好ましくは、２：２．５〜２：４、さらに好ましくは２：２．７〜２：３．５であることが好ましい。第一柱面４４１の曲率半径と、第二柱面４５１の曲率半径の曲率半径の比率が上記範囲内にあることで、よりのびやかな低音を得ることができる。
【００７０】
第一柱面４４１の曲率半径と、第三柱面４４２の曲率半径は、その比率が、２：３〜２：１５、より好ましくは、２：４〜２：１０、さらに好ましくは２：４．５〜２：６であることが好ましい。第一柱面４４１の曲率半径と、第三柱面４４２の曲率半径の比率が上記範囲内にあることで、よりのびやかな低音を得ることができる。
【００７１】
また、本実施例において、エンクロージャー１の第二空気室４には、中高音スピーカーユニットＢが設けられている。なお、エンクロージャー１の第二空気室４に中高音スピーカーユニットＢが設けられていない形態であってもよい。
【００７２】
＜試験例＞
本実施例のエンクロージャー１と、エンクロージャー１における扁平ダクト３を円筒管（共鳴管、バスレフダクト）に置き換えた比較例のエンクロージャーを用意し（図７（ａ）、図７（ｂ））、比較試験を行った。
【００７３】
その結果、実施例のエンクロージャー１を使用した場合、音の均衡がとれ、かつのびやかで濁りのない透明な低音を得ることができた（図７  （ａ））。
一方、比較例のエンクロージャーは、本実施例のエンクロージャー１に比して、音の均衡が崩れてしまうことがわかった（図７  （ｂ））。
【００７４】
エンクロージャーの備えるダクトが円筒管である場合には、音が一点に集中することにより共振し、音の位相反転が生じることは、当業者の技術常識である（要すれば、特開２００４−３２０４０号公報  ［００２５］  参照）。
この技術常識に基づき考察するに、比較例のエンクロージャーにおいて、音の均衡が崩れてしまった原因は、第一空気室から円筒管に音が流入する際に、円筒管に音が集中し、共振したことにあると考えられる（図７  参照）。
【００７５】
また、円筒管から第二空気室に音が流出する際に、円筒管に集中した音が、多方向に放射されることも、比較例のエンクロージャーが本実施例のエンクロージャーに比して劣っていた一因であると考えられる。
【００７６】
さらに、比較例のエンクロージャーにおいては、円筒管の共振による音の位相反転と、反射部材に音があたることによる位相反転の２度の位相反転が生じたものと考えられる。この２度の位相反転により、スピーカーユニットＡ前面からの音と反対の位相の音がポートから放出されてしまうことも、比較例のエンクロージャーが本実施例のエンクロージャーに比して劣っていた原因であると考察される。
【００７７】
一方、本実施例のエンクロージャー１においては、第一空気室２の内部空間に扁平ダクト３が突出していないため、共鳴管において生じるような共振による音の位相反転が起こらない。
【００７８】
また、実施例のエンクロージャー１における扁平ダクト３の通孔３１のＺ軸方向の幅は、第一空気室２の内部空間のＺ軸方向の幅と同一である。そのため、スピーカーユニットＡの背面から出た音は、平面的に収束して扁平ダクト３を通って第二空気室４の内部へ放出される。
【００７９】
さらに、図６（ｂ）に示すように、実施例１のエンクロージャー１においては、扁平ダクト３を通ってＹ軸方向に放出された音は、直進する限りは全て反射面４２１に衝突し、ポート４１側へ反射するような構成となっている。そのため、第二空気室４の内部において多方向に音が分散してしまうことはない。
【００８０】
このような要因から、本実施例のエンクロージャー１は、従来のバスレフ方式のエンクロージャー（ダクトが円筒管であるエンクロージャー）に比して、濁りのない透明な低音を実現しているものと考えられる。
【産業上の利用可能性】
【００８１】
本発明は、エンクロージャーに応用できる。
【符号の説明】
【００８２】
１      エンクロージャー
２      第一空気室
２１    第一開口部
２２    隔壁
２２１  凹部
２２２  吸音材
２２３  誘導部
３      扁平ダクト
３１    通孔
３１１  ダクト口
４      第二空気室
４１    ポート
４２    反射部材
４２１  反射面
４３    バックロードホーン部
４４    第一整流部
４４１  第一柱面
４４２  第三柱面
４４３  仕切り板
４５    第二整流部
４５１  第二柱面
４６    孔内壁面
Ａ      スピーカーユニット
Ｂ      中高音スピーカーユニット
【図１】
2019097070.tif 000003
【図２】
2019097070.tif 000004
【図３】
2019097070.tif 000005
【図４】
2019097070.tif 000006
【図５】
2019097070.tif 000007
【図６】
2019097070.tif 000008
【図７】
2019097070.tif 000009
【図８】
2019097070.tif 000010